(57)【要約】【課題】本考案は、照明装置を提供する。【解決手段】主として、制御配線板と複数の発光ダイオードとを有する。前記複数の発光ダイオードは、制御配線板に連結され、前記発光ダイオードが、少なくとも、一つの赤色光チップと一つの青色光チップ及び一つの緑色光チップからなる。前記制御配線板は、周波切換えスイッチが設けられた制御回路がある。前記制御回路は、各チップの基本特性に基づいて、複数の色光を発光する制御データが予め設定され、これにより、周波切換えスイッチにより、発光ダイオードが予め設定した色光を発光するように、制御することができる。【選択図】図１
0003131287.tif 000002
【実用新案登録請求の範囲】
【請求項１】
周波切換えスイッチが設けられた制御回路を有する制御配線板と、
前記制御配線板に連結され、少なくとも赤色光チップと青色光チップ及び緑色光チップからなる、複数の発光ダイオードと、を含み、
周波切換えスイッチにより、発光ダイオードが予め設定した色光を発光するように制御することを特徴とする、照明装置。
【請求項２】
前記制御回路は、各チップの基本特性に基づいて、複数の色光を発光する制御データが予め設定されてあることを特徴とする、請求項１に記載の照明装置。
【考案の詳細な説明】
【技術分野】
【０００１】
本考案は、製造が簡単で、色を切換えて発光できる照明装置に関し、特に、照明に適用できる発光ダイオードや類似する構造に関する。
【背景技術】
【０００２】
多色光と低消費電力の発光ダイオードは、既に開発されて、灯光効果を得るための用途や照明するための用途に利用され、いずれの用途にしても、電力節約の利点が得られる。早期の発光ダイオードは、単一色、そして、単一個の構造であるが、その後、次第に他の色の光が開発され、駆動回路と複数の異なる色光である発光ダイオードを組合わせることによる多色のディスプレイが登場する。前記多色光ディスプレイは、複数の単一素子からなるため、体積が大きくて、適用範囲が限られる問題点がある。
【０００３】
半導体技術の飛躍的な進歩では、上記の欠点を解決するために、単一の多色の発光ダイオードＡが登場した。図３〜４を参照すると、前記発光ダイオードＡは、上下端面に配線が形成された配線板Ａ１と、配線板Ａ１の下端面に固設されて配線板Ａ１の配線に連結される駆動チップＡ２と、三つの配線板Ａ１の上端面に固定されて上端面の配線と下端面の駆動チップＡ２により電気的に接続される単一色チップＡ３と、二つの前記配線板Ａ１の下端の対応する配線に連結される外部接続ピンＡ６、Ａ７と、配線板Ａ１の下端面に位置する駆動チップＡ２を封止するビニルＡ４と、前記の配線板Ａ１と単一色チップＡ３及び一部の外部接続ピンＡ６、Ａ７をパッケージする透明封止用コンパウンドＡ５と、が含まれる。
【０００４】
上記の発光ダイオードＡは、二つの外部接続ピンＡ６、Ａ７に通電すると、前記駆動チップＡ２により単一色チップＡ３を駆動して、多色光を発光する。このような構造は、多色光を発光する表示素子の体積を縮小できるが、前記構造は、単一色チップと駆動チップが、それぞれ配線板の上下両端面に設けられ、また配線板の対応する配線に連結することが必要である。
また、その両面加工の製造工程が、非常に複雑で、特にボンディング工程が、一般として高温工程であるため、このような発光ダイオード構造を製造する時、歩留率が悪く、相対的に高価になり、最も解決しなければならない欠点であった。
【０００５】
本考案者は、上記の欠点を解消するため、慎重に研究開発して、製造が簡単で、色を切換えて発光できる照明装置を提案する。
【考案の開示】
【考案が解決しようとする課題】
【０００６】
本考案の主な目的は、製造が簡単で、色を切換えて発光できる照明装置を提供する。
【課題を解決するための手段】
【０００７】
本考案は、上記の目的を達成するため、主として、制御配線板と複数の発光ダイオードとが含有され、前記複数の発光ダイオードは、制御配線板に連結され、前記発光ダイオードが、少なくとも、一つの赤色光チップと一つの青色光チップ及び一つの緑色光チップからなり、前記制御配線板は、周波切換えスイッチが設けられた制御回路があり、また、前記制御回路は、各チップの基本特性に基づいて、複数の色光を発光する制御データが予め設定され、これにより、周波切換えスイッチにより、発光ダイオードが予めに設定した色光を発光するように、制御することができる。
【０００８】
すなわち、本願の第１考案は、周波切換えスイッチが設けられた制御回路を有する制御配線板と、前記制御配線板に連結され、少なくとも赤色光チップと青色光チップ及び緑色光チップからなる、複数の発光ダイオードと、を含み、周波切換えスイッチにより、発光ダイオードが予め設定した色光を発光するように制御することを特徴とする、照明装置を提供することを要旨としている。
【０００９】
また、本願の第２考案は、前記制御回路は、各チップの基本特性に基づいて、複数の色光を発光する制御データが予め設定されてあることを特徴とする、本願の第１考案に記載の照明装置を提供することを要旨としている。
【考案の効果】
【００１０】
本考案は、これにより、周波切換えスイッチにより、発光ダイオードが予めに設定した色光を発光するように、制御することができる。
【考案を実施するための最良の形態】
【００１１】
以下、図面を参照しながら、具体的な実施例を挙げて、本考案を詳しく説明する。
【実施例】
【００１２】
図１を参照すると、本考案に係わる照明装置１は制御配線板１３と複数の発光ダイオード１２が含まれ、前記複数の発光ダイオード１２は、互いにループに連結される。本実施例において、複数の発光ダイオード１２が、二つの電源接点が設けられた基板１１に結合される。
前記基板１１上の複数の発光ダイオード１２が、更に制御配線板１３に連結され、前記制御配線板１３上の制御回路は、周波切換えスイッチ１３１が設けられる。
前記制御回路は、各チップの基本特性に基づいて、複数の色光を発光する制御データが予めに設定される。
【００１３】
前記発光ダイオード１２は、少なくとも、一つの赤色光チップ１２１と一つの青色光チップ１２２及び緑色光チップ１２３からなり、図２のように、当前記らの発光ダイオード１２によりループを形成する。
また、前記ループが、更に制御配線板１３に連結され、前記制御配線板１３に設けられた制御回路は、各チップの基本特性に基づいて、複数の色光を発光する制御データが予めに設定される。
また、周波切換えスイッチ１３１が設けられるため、ディップスイッチ（ＤＩＰ  ｓｗｉｔｃｈ）である前記周波切換えスイッチ１３１により、発光ダイオードが予めに設定した色光を発光するように、切換えることができる。
【００１４】
前記照明装置１は、電源がオンされると、基板１１上の全ての発光ダイオード１２が、周波切換えスイッチ１３１の現在の切り換え位置の色光を発光し、所定の時間を経過、或いは、必要に応じて、ユーザーは、制御配線板１３に設けられ螺周波切換えスイッチ１３１を調整することにより、制御回路に予めに設定した複数の色光の制御データを切換えて、発光ダイオード１２が発光する色光を変化できる。これにより、前記照明装置１が発光する色光が調整され、照明装置１の使用が多様化される。
【００１５】
上記の説明から分かるように述、本考案は、予期の目的を達成でき、製造が簡単で、色を切換えて発光できる照明装置を提供することができる。
【００１６】
以上は、ただ本考案のより良い実施例であり、本考案はそれによって制限されることが無く、本考案に係わる実用新案登録請求の範囲や明細書の内容に基づいて行った等価の変更や修正は、全て本考案の実用新案登録請求の範囲内に含まれる。
【図面の簡単な説明】
【００１７】
【図１】本考案の実施例の立体外観図
【図２】本考案の実施例の回路フロック概念図
【図３】従来構造の立体外観図
【図４】第３図の底面平面図
【符号の説明】
【００１８】
１        照明装置
１１      基板
１２      発光ダイオード
１２１    赤色光チップ
１２２    青色光チップ
１２３    緑色光チップ
１３      制御配線板
１３１    周波切換えスイッチ
Ａ        単一個の多色発光ダイオード
Ａ１      配線板
Ａ２      駆動チップ
Ａ３      単一色チップ
Ａ４      ビニル
Ａ５      透明封止用コンパウンド
Ａ６      外部接続ピン
Ａ７      外部接続ピン
【図１】
0003131287.tif 000003
【図２】
0003131287.tif 000004
【図３】
0003131287.tif 000005
【図４】
0003131287.tif 000006